(57)【要約】【課題】  板状の形態の高層ないし超高層の集合住宅に最適な構造を提供する。【解決手段】  桁行方向の架構として、外周柱７，９と外周梁８，１０とによる２構面の外周架構４，５と、中間柱１１と中間梁１２とによる１構面の中間架構６とによって３構面のラーメン架構を採用する。梁間方向の架構として、外周柱７，９と中間柱１１との間に大梁１３，１４を架設することで構成される２スパンのラーメン架構１５を採用する。桁行方向の中間架構を構成している中間梁１２として扁平梁を採用する。梁間方向の２スパンのラーメン架構における一方のスパンのレベルを低く設定して配管ピット１８を設ける。スラブ、梁、柱の施工をプレキャスト版からなる打込型枠を用いて行う。【選択図】      図２
2005155173.tif 000002
【特許請求の範囲】
【請求項１】
桁行方向に長い平面形状とされて各階に複数の住戸が桁行方向に沿って配置される形態の高層ないし超高層の集合住宅建物の構造であって、
桁行方向の架構として、外周部に位置する外周柱と外周梁とによる２構面の外周架構と、それら外周架構の間に設けられる中間柱と中間梁とによる１構面の中間架構とによって３構面のラーメン架構を採用するとともに、
梁間方向の架構として、前記外周柱と前記中間柱との間に大梁を架設することで構成される２スパンのラーメン架構を採用し、
桁行方向の中間架構を構成している中間梁として、その成寸法が幅寸法よりも小さい扁平断面の扁平梁を採用したことを特徴とする集合住宅建物の構造。
【請求項２】
請求項１記載の集合住宅建物の構造において、梁間方向の２スパンのラーメン架構における一方のスパンでは他方のスパンよりもスラブのレベルを低く設定したことを特徴とする集合住宅建物の構造。
【請求項３】
請求項１または２記載の集合住宅建物の構造において、プレキャスト版をスラブ用の型枠としてその上部にコンクリートを打ち込むことで形成されるハーフプレキャストスラブを採用したことを特徴とする集合住宅建物の構造。
【請求項４】
請求項１，２または３記載の集合住宅建物の構造において、プレキャスト版を打込型枠としてそれらの内側にコンクリートを打ち込むことで形成される梁および柱を採用したことを特徴とする集合住宅建物の構造。
【発明の詳細な説明】
【技術分野】
【０００１】
本発明は建物の構造に係わり、特に、いわゆる板状の形態の高層ないし超高層の集合住宅建物に適用して好適な構造に関する。
【背景技術】
【０００２】
周知のように、高層ないし超高層の集合住宅建物の形態としては正方形に近い平面形状の塔状（タワー状）とされることが一般的であり、その構造としてはチューブ構造が好適であるとされている。一方、そのような塔状ではなく、板状の形態、すなわち一般的な低層の集合住宅と同様に桁行方向の長さが梁間方向の長さの数倍程度以上とされてその平面形状が横長の扁平形状とされる場合には、住戸が横方向に配置されることからチューブ構造は採用し難く、その場合には桁行方向をラーメン架構とし梁間方向には戸境壁を兼ねる多数の耐震壁を設けるという構造が一般的である。
【０００３】
しかし、梁間方向に多数の耐震壁を設ける場合には内部空間がそれらの耐震壁によって細かく分断されて平面計画が大きく制約されてしまうばかりでなく、特に６０ｍを越えるような超高層になると地震時には耐震壁に極めて大きな力が作用して梁間方向の揺れが大きくなるものである。
【０００４】
そのため、そのような耐震壁を必要としない構造も望まれ、たとえば特許文献１には、板状の形態の集合住宅の構造として、双方向ラーメン構造を基本としつつ、架構の一部を高剛性のコア部として設け、そのコア部に多数の制震ダンパーを設置するという構造が提案されている。
【特許文献１】特開２００１−２２０８１６号公報
【発明の開示】
【発明が解決しようとする課題】
【０００５】
しかし、特許文献１に示されるような構造では、高剛性のコア部を数スパンにわたって設ける必要があり、かつそのコア部にブレースダンパー等の制震ダンパーを多数設ける必要があるので、構造的に複雑に過ぎるし、平面計画上の制約も少なくなく、必ずしも有効とはいえないものである。そのため、この種の板状の形態の集合住宅建物に適用し得て最適なシンプルな構造が模索されているのが実情である。
【課題を解決するための手段】
【０００６】
上記事情に鑑み、本発明は、桁行方向に長い平面形状とされて各階に複数の住戸が桁行方向に沿って配置される形態の高層ないし超高層の集合住宅建物の構造であって、桁行方向の架構として、外周部に位置する外周柱と外周梁とによる２構面の外周架構と、それら外周架構の間に設けられる中間柱と中間梁とによる１構面の中間架構とによって３構面のラーメン架構を採用するとともに、梁間方向の架構として、前記外周柱と前記中間柱との間に大梁を架設することで構成される２スパンのラーメン架構を採用し、桁行方向の中間架構を構成している中間梁として、その成寸法が幅寸法よりも小さい扁平断面の扁平梁を採用したものである。
【０００７】
本発明においては、梁間方向の２スパンのラーメン架構における一方のスパンでは他方のスパンよりもスラブのレベルを低く設定することが好ましい。また、プレキャスト版をスラブ用の型枠としてその上部にコンクリートを打ち込むことで形成されるハーフプレキャストスラブを採用することが好ましい。さらに、プレキャスト版を打込型枠としてそれらの内側にコンクリートを打ち込むことで形成される梁および柱を採用することが好ましい。
【発明の効果】
【０００８】
本発明の構造は、単純な双方向ラーメン構造を基本として建物全体の剛性と耐震性を確保するものであり、耐震壁を必要としないことから平面プランの自由度を充分に高めることができる。また、桁行方向のラーメン架構を３構面としたことから通常のように２構面とする場合に比較してスラブ面積を小さくでき、床剛性と遮音性を確保する点で自ずと有利であるし、中間架構の構面では扁平梁を採用することで室内に大きな梁形が突出することもない。
【０００９】
また、梁間方向の一方のスパンのスラブのレベルを下げることでそこに配管ピットを確保できるし、プレキャスト版を打込型枠としてコンクリートを打ち込むことで床、梁、柱を形成する構造とすることで、それらの施工を効率的に行うことができる。
【発明を実施するための最良の形態】
【００１０】
図１〜図３に本発明の構造の一実施形態を示す。本実施形態は、図１に示すように桁行方向の長さが梁間方向の長さよりも３倍程度大きい横長の平面形状とされ、高さが地上４０階建て程度の超高層とされた板状の形態の集合住宅建物への適用例である。
【００１１】
この建物の基準階の平面プランは、階段１およびエレベータホール２に通じる片廊下３に沿って住戸が配置される片廊下型が採用されており、そのような平面プランに対応して本実施形態では次のような構造が採用されている。
【００１２】
すなわち、本実施形態の建物の構造は、桁行方向の架構として、片廊下３側の外周部に設けられた外周架構４と、他方の外周部（ここにはインナーバルコニーが設けられる）に設けられた外周架構５と、それらの間に設けられた中間架構６とによる３構面のラーメン架構が採用されている。外周架構４は外周柱７と外周梁８から構成され、外周架構５は外周柱９と外周梁１０から構成され、中間架構６は中間柱１１と中間梁１２から構成され、いずれも柱間隔（桁行方向のスパン）は６〜７ｍ程度とされている。
【００１３】
そして、図２に示すように、それら３構面の桁行方向のラーメン架構のうち、片廊下３側の外周架構４における外周梁８はほぼ正方形断面とされ、インナーバルコニー側の外周架構５における外周梁１０は逆梁とされ、中間架構６における中間梁１２はその成寸法が幅寸法よりも充分に小さい扁平断面の扁平梁とされている。
【００１４】
また、梁間方向の架構としては、上記の外周柱７，９と中間柱１１との間にそれぞれ大梁１３，１４が架設されることで構成された２スパンの多数のラーメン架構１５が採用され、それら梁間方向のラーメン架構１５におけるスパンは桁行方向のスパンと同等の６〜７ｍ程度とされている。
【００１５】
そして、図２に示すように、梁間方向のラーメン架構１５における２スパンのうちインナーバルコニー側のスパンではそこでのスラブ１６が中間梁１２の上部に一体に設けられているが、片廊下３側のスパンではそこでのスラブ１７が中間梁１２の下部に一体に設けられている。すなわち、片廊下３側のスパンではスラブ１７および大梁１３のレベルが低く設定されていて、ここに設備配管類を横引きするための配管スペース１８（図１に斜線を付して示す）が確保されている。
【００１６】
なお、それらのスラブ１６，１７の構造としてはたとえばデッキスラブ等の在来工法による通常の構造のものでも良いが、プレキャスト版をスラブ用の打込型枠としてその上部にコンクリートを打ち込むことで形成されるハーフプレキャストスラブを採用することが特に好ましい。
【００１７】
また、上記の各梁（外周梁８，１０、中間梁１２，梁間方向の大梁１３，１４）や各柱（外周柱７，９、中間柱１１）の施工は適宜行えば良いが、たとえば図３に示すようにプレキャスト版を打込型枠（ＰＣＦ）２０，２１としてそれらの内側にコンクリートを打ち込むことで梁と柱を形成することが好ましい。
【００１８】
さらに、外壁の構造も適宜で良いが、プレキャスト版を採用すると施工性が良い。戸境壁も、所望の耐火性能と遮音性能を確保し得る乾式工法によるものが好ましい。
【００１９】
上記の構造によれば、桁行方向と梁間方向の双方の架構を単純なラーメン架構とした双方向純ラーメン構造を基本とするので、建物全体として所望の剛性と耐震性を支障なく確保できることはもとより、従来一般には戸境壁を兼ねて設ける耐震壁を完全に省略することで平面プランの自由度を充分に高めることができ、特に戸境壁は乾式工法により所望の位置に自由に設けることができる。
【００２０】
また、耐震壁を設ける場合の桁行方向の架構は外周部の２構面のみとすることが通常であるが、本実施形態では中間架構６を加えて桁行方向の架構を３構面としたので、２構面の場合に比較してスラブ面積が自ずと小さくなり、したがって床剛性と遮音性を確保する点で有利であるし、床の構造としてハーフプレキャストスラブやデッキスラブあるいはその他の構造を採用してもいずれも安価かつ合理的な施工が可能である。勿論、中間架構６を構成している中間梁１２として扁平梁を採用しているので、室内に大きな梁形が突出することもない。
【００２１】
また、梁間方向の２スパンの内の一方のスパンにおいて大梁１３とスラブ１７のレベルを下げることのみで配管ピット１８を確保することができ、そこに住戸の水廻りを集約配置することで使用勝手に優れた快適な住戸プランを設定することができる。
【００２２】
そして、本実施形態の構造によれば、特許文献１に示される構造のように要所に高剛性のコア部を設けたり制震ダンパーを設けることもないので、それに比較すれば自ずと施工が単純化されるし、プレキャスト版を打込型枠として多用することで建物全体の施工効率を充分に高めることができ、工費削減と工期短縮に寄与することができる。
【００２３】
以上で本発明の一実施形態を説明したが、本発明は上記実施形態に限定されるものでは勿論なく、建物の規模や形態、グレード等の諸条件に応じて様々な設計的変更や応用が可能であることはいうまでもない。
【図面の簡単な説明】
【００２４】
【図１】本発明の構造の一実施形態を示す基準階の梁伏図である。
【図２】同、部分立断面図（図１におけるII−II線視図）である。
【図３】同、梁と柱の構造を示す図である。
【符号の説明】
【００２５】
４，５  外周架構（桁行方向）
６  中間架構（桁行方向）
７，９  外周柱
８，１０  外周梁
１１  中間柱
１２  中間梁（扁平梁）
１３，１４  大梁
１５  ラーメン架構（梁間方向）
１６，１７  スラブ
１８  配管ピット
２０，２１  打込型枠
【図１】
2005155173.tif 000003
【図２】
2005155173.tif 000004
【図３】
2005155173.tif 000005